(57)【要約】【課題】  今までにない全く新しいＬＥＤ照明器具を提供する。【解決手段】  ＬＥＤを光源として用いた電球様や蛍光管様の照明器具であって、この照明器具の一部にこの照明器具の周りを監視するための監視用センサを備えていることを特徴とするＬＥＤ照明器具とする。照明器具はそれが照明したいとする場所に向けられるものであるためその場所を監視しようとする監視用センサとは実に相性が良く、またこの監視用センサの電源にはＬＥＤ照明器具の電源をそのまま使用することが可能であるため、監視用センサこそがＬＥＤ照明器具との相乗効果の上で最も好適なのであり、ＬＥＤ照明器具を取り付ければ、監視用センサもそこに取り付けられることになる。【選択図】図１
2010114055.tif 000002
【特許請求の範囲】
【請求項１】
ＬＥＤ（Ｌｉｇｈｔ  Ｅｍｉｔｔｅｄ  Ｄｉｏｄｅ）を光源として用いた電球様や蛍光管様の照明器具であって、この照明器具の一部にこの照明器具の周りを監視するための監視用センサを備えていることを特徴とするＬＥＤ照明器具。
【請求項２】
前記監視用センサが照明器具の周りの状況を撮影するための監視カメラである、請求項１に記載のＬＥＤ照明器具。
【請求項３】
前記監視用センサが照明器具の周りの動きのあるものを感知するためのモーション・センサである、請求項１に記載のＬＥＤ照明器具。
【請求項４】
前記監視用センサが照明器具の周りの熱を感知するための温度センサである、請求項１に記載のＬＥＤ照明器具。
【請求項５】
前記監視用センサが照明器具の周りの煙りを感知するための煙りセンサである、請求項１に記載のＬＥＤ照明器具。
【請求項６】
前記監視用センサが照明器具の周りの有毒ガスを感知するためのガスセンサである、請求項１に記載のＬＥＤ照明器具。
【請求項７】
ＬＥＤが面状に配設されている、請求項１に記載のＬＥＤ照明器具。
【請求項８】
ＬＥＤが立体的に配設されている、請求項１に記載のＬＥＤ照明器具。
【請求項９】
更に監視用センサを駆動するための駆動回路を備えている、請求項１に記載のＬＥＤ照明器具。
【請求項１０】
前記監視用センサがモーション・センサであって、前記駆動回路は人を感知した時にＬＥＤを点燈させ人を感知しない時にはＬＥＤを消燈させるものである、請求項９に記載のＬＥＤ照明器具。
【請求項１１】
前記駆動回路は赤外線や電波を利用した通信部を備え、この通信部はリモコンと通信し合うものであり、前記駆動回路はリモコン操作に応じてＬＥＤの照度を制御するものである、請求項９に記載のＬＥＤ照明器具。
【請求項１２】
更に監視用センサからの情報を監視センターの管理装置に送信するための通信装置を備えている、請求項１に記載のＬＥＤ照明器具。
【発明の詳細な説明】
【技術分野】
【０００１】  この発明は、ＬＥＤ（Ｌｉｇｈｔ  Ｅｍｉｔｔｅｄ  Ｄｉｏｄｅ）を光源として用いており、この周りを監視するための監視用センサを備えているＬＥＤ照明器具に関するものである。
【背景技術】
【０００２】  ＬＥＤ照明器具には小型、小電力、長寿命であり、チラツキや発熱も少なく、また虫が集まり難いなどの特長がある上に、近年照度などの性能が飛躍的に向上したものが登場している。このため二酸化炭素の削減が急務の課題である各所に於いて、ＬＥＤ照明器具は省電力であるが故にその使用が積極的に為され始めている。【０００３】  このようなＬＥＤ照明器具には、ＬＥＤの組み込みのしやすさから全く新規な外形のものに組み込んだものや、旧来からある照明器具の形を模したり口金等のプラグの形状を合わせた電球（ボール）タイプのものや蛍光管タイプのものがあり、特に蛍光管タイプのものは、従来の蛍光灯に用いられる蛍光管とは異なって有毒な水銀ガスを含まず、ガラス管が割れた際に蛍光粉末が散るような問題がないため、安全度が極めて高い。なおＬＥＤ照明器具は直流で動作する点で蛍光管タイプの照明器具とは異なっている。
【発明の開示】
【発明が解決しようとする課題】
【０００４】  当発明者はＬＥＤ照明器具が直流で動作する点に着目した。すなわちＬＥＤ照明器具に直流電源で動作する電子デバイスや電子回路を組み込むことが出来るのではないかと言う知見を得た。これにより電子デバイスや電子回路とＬＥＤ照明器具との相乗効果が得られるのである。それではどのようなものがＬＥＤ照明器具との相乗効果の上で好適であろうか。今までにない全く新しいＬＥＤ照明器具を提供するにはどうしたら良いであろうか。この発明はこのような問題点を解決することを課題とするものである。
【課題を解決するための手段】
【０００５】  上記の課題は、ＬＥＤを光源として用いた電球様や蛍光管様の照明器具であって、この照明器具の一部にこの照明器具の周りを監視するための監視用センサを備えていることを特徴とするＬＥＤ照明器具とすることにより達成される。そもそも照明器具と言うものはそれが照明したいとする場所に向けられるものであるから、その場所を監視しようとする監視用センサとは実に相性が良い。またこの監視用センサの電源にはＬＥＤ照明器具の電源をそのまま使用することが可能である。すなわち監視用センサこそがＬＥＤ照明器具との相乗効果の上で最も好適なのである。そしてＬＥＤ照明器具を取り付ければ、監視用センサもそこに取り付けられることになる。【０００６】  さて前記監視用センサとして、ＬＥＤ照明器具の周りの状況を撮影するための監視カメラを用いることが出来る。監視カメラを設けることで、このＬＥＤ照明器具の周りの不審者などを監視することが可能になる。監視カメラはＬＥＤ照明器具の明かりを利用するものであっても、これを利用しない暗視カメラのようなものであっても良い。なお監視カメラがあることを知られないように隠すことが可能である。なお監視カメラを画像センサとして室内の温度分布を監視する目的に使用することなども可能である。【０００７】  次に前記監視用センサとして、照明器具の周りの動きのあるものを感知するためのモーション・センサを用いることが出来る。モーション・センサは、例えば独居老人の動きを常に或いは定時的に監視して問題が起っていないかなどを遠隔監視するのに利用することが出来る。また屋外でＬＥＤ照明器具を常夜燈として用いる場合に、モーション・センサは不審者の不法進入を感知するのにも利用し得る。【０００８】  次に前記監視用センサとして、照明器具の周りの、火災などの熱を感知するための温度センサを用いることが出来る。すなわち温度センサ付きのＬＥＤ照明器具があれば、これを取り付けた部屋は全て温度センサによる火災感知の対象とすることが出来るから、従来の火災報知器が取り付けられていない部屋には極めて便利である。【０００９】  次に前記監視用センサとして、照明器具の周りの、火災などによる煙りを感知するための煙りセンサを用いることが出来る。これも上記同様、従来の煙り感知器が取り付けられていない部屋であっても、このＬＥＤ照明器具を用いさえすれば簡単に監視の対象とすることが出来るようになる。【００１０】  次に前記監視用センサとして、照明器具の周りの、都市ガスやプロパンガス等のガス漏れなどによる有毒ガスを感知するためのガスセンサを用いることが出来る。この場合もこのＬＥＤ照明器具を用いさえすれば一石二鳥の効果がある。【００１１】  ところでこの発明はＬＥＤを光源として用いた電球様や蛍光管様の照明器具であり、複数個のＬＥＤが配設されている。この多数のＬＥＤは面状に配設されたものであっても良いし、球面上に整列させるなど立体的に配設されたものであっても良い。従って用途に応じた設計が可能である。【００１２】  さてこの発明はＬＥＤ照明器具に関するものであり、電球や蛍光管そのものの一部に監視用センサを備えているものと、電球や蛍光管を付けた照明装置に監視用センサを備えているものと��ある。前者の場合、従来の蛍光灯の蛍光管と取り替えて使用するために内部に交流／直流コンバータを備える。また後者の場合は照明装置に交流／直流コンバータを備えておけば良いから、ＬＥＤ照明器具には交流／直流コンバータを備える必要がなく、ただＬＥＤと監視用センサとが備わっていれば済む。なお監視用センサの信号線に関しては如何ようにも設計することが可能である。【００１３】  そこで更に電子デバイスとしての監視用センサを駆動するための、電子回路としての駆動回路を備えているものとすることが出来る。この駆動回路の直流電源はＬＥＤ照明器具から得ることが出来る。なお駆動回路は、上述した交流／直流コンバータと同様に照明裝置の側に設けることも可能である。この監視用センサの一例としてモーション・センサを上げる。前記駆動回路はモーション・センサが人などの動きを感知した時にはＬＥＤを点燈させ、人などの動きを感知しない時にはＬＥＤを消燈させるように構成するのである。この作用は上述した通りである。【００１４】  また他の実施例として前記駆動回路は赤外線や電波を利用した通信部を備え、この通信部はリモコンと通信し合うものであり、前記駆動回路はリモコン操作に応じてＬＥＤの照度を制御するものとすることが可能である。なおこのリモコンを利用して監視用センサの制御が行い得るように設計しても良い。例えば監視用センサが照明器具の周りの状況を撮影するための監視カメラの場合には、カメラのピント調節に用いても良いし、モーション・センサや温度センサや煙りセンサやガスセンサと言ったセンサ類の感度調節やＯＮ／ＯＦＦ操作に用いても良いのである。【００１５】  次に請求項１に記載のＬＥＤ照明器具が、更に監視用センサからの情報を監視センターの管理装置に送信するための通信装置を備えているものとしても良い。この通信装置を専用の無線機に接続して監視センターと通信するようにすることが可能であり、或いはこの通信装置をルータに接続してインターネット経由にて監視センターと通信し得るように構成することも可能である。近年家庭用電源のコンセントを通信に利用したり、照明装置の電球や蛍光管からの発光に通信信号を重畳させる仕組を利用したりすることが可能となっているため、これ等を利用しても良い。インターネット経由で監視センターと通信する場合、電子メールを用いてその時々の監視結果を送信するようにも設計し得る。
【発明の効果】
【００１６】  この発明のＬＥＤ照明器具によれば、ＬＥＤを光源として用いた電球様や蛍光管様の照明器具の一部に、この照明器具の周りを監視するための監視用センサを備えたので、直流電源で動作する電子デバイスや電子回路から成る監視用センサの各々独自の機能とＬＥＤ照明器具との相乗効果が得られており、これまでにない全く新しいＬＥＤ照明器具を提供することが出来た。
【発明を実施するための最良の形態】
【００１７】  以下この発明の４種の実施形態に付き図面を参照しつつ説明するが、この発明はこれ等の実施形態にのみ限定されるものではない。すなわちこの発明の思想の範囲内に於いて自由に設計することが出来、これ等もまたこの発明の権利範囲内のものである。【００１８】  第１実施形態
図１及び図２は照明灯器具としての蛍光灯に用いられる蛍光管タイプのＬＥＤ照明器具１であり、一般に普及している蛍光灯器具３側の安定器３０回りの配線を一部変更することにより（安定器３０を取り外すことなく）、このＬＥＤ照明器具１を従来通り蛍光灯器具３に取り付けることが可能である。【００１９】  このＬＥＤ照明器具１は両端部に従来の蛍光管を模した口金１１とプラグ１２とが設けられている。図１はケーシング１０から前面の透明カバーを外した状態を描いたものであるが、平面状の基板１３の上にＬＥＤ１４が配設されている。そして前記両側の口金１１の部分にカメラ２を備えている。これを図２の回路図で表すと、内側の鎖線の中がこのＬＥＤ照明器具１であって、家庭用電源のＡＣ１００Ｖを直流に変換するための整流回路１５にＬＥＤ１４が配線されている。直流であるが故にチラツキが少ないと言う特長がある。またこの整流回路１５から出力される直流を利用すべくカメラ２が直結されており、カメラ２からの出力はリード線２０により取り出される。なおＬＥＤ１４を配置している基板の形状を平面ではなく、例えば前記透明カバーのような湾曲形状、すなわち立体形状とする設計も可能である。【００２０】  蛍光灯器具３は外側の鎖線より内であると共に上述のＬＥＤ照明器具１の鎖線の外の部分であるが、安定器３０とプラグ１２を受ける図示しないジャックと、家庭用電源のコンセントに繋ぐためのプラグ１６とを備えている。しかしながらこの安定器３０は元々が従来のラピッドスタート複灯式やインバータ式の蛍光管のためのものであるから、この実施形態の直流式のＬＥＤ照明器具１では用いられないため、安定器３０と整流回路１５との間の配線を切断して整流回路１５を前記のプラグ１６に接続する工事を行う。それなりに電力を消費する安定器３０を迂回するのはエコな配線方式であると言える。【００２１】  さてリード線２０から得られるカメラ２からの出力はこれを映し出す図示しないモニタに供給される。この実施形態のＬＥＤ照明器具１によって明るく照らし出された環境をモニタで監視することが出来るのである。【００２２】  第２実施形態
図３及び図４は照明灯器具のダウンライト或いはスポットライトとして使用するための電球（ボール）タイプのＬＥＤ照明器具４であり、一般に普及している螺子込み式のソケットに対応する口金（図示せず）を備えているものである。【００２３】  このＬＥＤ照明器具４の透明カバーを外したものを図３に表したが、円形状のケーシング４０の中心部に感熱センサ５を備えて、その周りの４回対称の位置にＬＥＤ４１を配設して成る。なお感熱センサ５の代わりとして煙りセンサやガスセンサなどを用いた設計も可能である。またＬＥＤ４１を幾つ使用するかやその配置に付いては、このＬＥＤ照明器具のサイズや用途等により自由である。【００２４】  このＬＥＤ照明器具４の特徴は監視用センサとしての感熱センサ５の駆動回路４３を備えている点にある。すなわち家庭用電源のＡＣ１００Ｖを直流に変換するための整流回路４２にＬＥＤ１４が配線されているが、この直流電力は上述の駆動回路４３にも供給されており、これにより感熱センサ５からの信号を適切に処理して出力端子４４へ出力するのである。【００２５】  なおこの感熱センサ５及び駆動回路４３を、ＬＥＤ４１が消灯している場合でもＯＮにしておく設定が可能である。【００２６】  第３実施形態
図５は照明灯器具としてのサークル蛍光灯に用いられる蛍光管タイプのＬＥＤ照明器具６であって、このサークル内に多数のＬＥＤを配設したＬＥＤ部６０が形成されている。またＬＥＤ照明器具６の口金の部分にモーションセンサ７と、口金の内部に後述する制御部品が納められている。またモーションセンサ７による動き監視やＬＥＤ部６０の点消や調光を図示しない赤外線リモコンで制御することが出来るようになっている。【００２７】  この実施形態をブロック図で表すと、電源部６１は直流電力をＬＥＤ部６０に供給し、リモコンと赤外線で通信するための送受信部６３はリモコンからの指令を制御部６２に伝達し、制御部６２はこの指令に従って電源部６１を制御して、ＬＥＤ部６０の明るさを調節する。また制御部６２はモーションセンサ７からの信号を受けて、人の動きを監視してこれを外部に報知する。【００２８】  なおモーションセンサ７や制御部６２等を、ＬＥＤ部６０が消灯している場合でもＯＮにしておく設定が可能である。この実施形態によれば、例えば独居老人の動きを常に或いは定時的に監視して問題が起っていないかを遠隔監視したり、屋外でＬＥＤ照明器具６を常夜燈として用いて、モーション・センサ７に不審者の不法進入を感知させたりするような遠隔監視が可能になる。なお本発明に係るカメラやモーション・センサは目立ち難く見つかり難い点が特徴である。【００２９】  第４実施形態
図６は上述した照明灯器具としての蛍光灯に用いられる蛍光管タイプのＬＥＤ照明器具１ために設計された照明灯器具８に関するものであり、ＬＥＤ照明器具１が２本納められている（ａ）。また照明灯器具８にはカメラ２が下向きに取り付けられている。また内部的には、カメラ２による監視結果をインターネットを経由して監視センターに定期的に知らせるための電子メール作成・送信部８４を備えている点に特徴を有する（ｂ）。【００３０】  この実施形態の照明灯器具８は、一般に普及している蛍光灯器具を取り外してから取り付けるものであり、図示しない電源プラグをジャックに差し込むと動作する。また前記電子メール作成・送信部８４は家庭用電源を経由して図示しないルータに接続され、ここからインターネットに接続される。照明灯器具８の内部には制御部８１があり、電源部８０から得た直流電力を照明部８２や撮影部８３や電子メール作成・送信部８４に供給する。また照明部８２はＬＥＤ照明器具１の点消を司る。またカメラ２からの映像信号を撮影部８３で間引き処理して写真セットとして制御部８１に伝達し、制御部８１はこれを電子メール作成・送信部８４により電子メールに仕立てて定時的に監視サーバに向けて送信させる。【００３１】  なお電子メール作成・送信部は動画を送信することが出来るし、電子メールではない送信方式も採用可能である。またカメラ２には暗視カメラを利用することも可能である。【００３２】  上記以外の実施形態
この発明はＬＥＤを光源として、この周りを監視する監視用センサを備えている点に特徴を有するため、一つのＬＥＤ照明器具に複数の異なる監視用センサを設けるようにしても良い。
【産業上の利用可能性】
【００３３】  この発明は単に家庭用のみならず、コンビニエンス・ストアなどの商店、夜間不在となる工場や倉庫、身体的弱者を抱える老人ホームや病院、治安の悪化懸念がある歩道など用として広く利用し得る。またガスセンサなどの監視用センサを備えたガードマンや警察官が持つ携帯用の照明器具として構成することも可能である。
【図面の簡単な説明】
【００３４】
【図１】  第１実施形態の説明図である。
【図２】  同実施形態の回路図である。
【図３】  第２実施形態の正面図である。
【図４】  同実施形態の回路図である。
【図５】  第３実施形態のブロック図である。
【図６】  第４実施形態のブロック図である。
【符号の説明】
【００３５】  １    ＬＥＤ照明器具
１０  ケーシング
１１  金具
１２  プラグ
１３  基板
１４  ＬＥＤ
１５  整流回路
２    カメラ
２０  リード線
３    照明灯器具
３０  安定器
４    ＬＥＤ照明器具
４０  ケーシング
４１  ＬＥＤ
４２  整流回路
４３  駆動回路
４４  出力端子
５    感熱センサ
６    ＬＥＤ照明器具
６０  ＬＥＤ部
６１  電源部
６２  制御部
６３  送受信部
７    モーションセンサ
８    照明灯器具
８０  電源部
８１  制御部
８２  照明部
８３  撮影部
８４  電子メール作成送信部
【図１】
2010114055.tif 000003
【図２】
2010114055.tif 000004
【図３】
2010114055.tif 000005
【図４】
2010114055.tif 000006
【図５】
2010114055.tif 000007
【図６】
2010114055.tif 000008